(57)【要約】      （修正有）【課題】様々な幅のＰＨＳ等を安定した状態で収納可能とするＰＨＳ又は携帯電話用ポケットを備えた衣服を提供する。【解決手段】上端に開口部６設けた有底の外部ポケット４を前身頃３に設けるとともに、この外部ポケット４の内部に、ＰＨＳ又は携帯電話を収納可能とする内部ポケット５を設けたものにおいて、内部ポケット５はストレッチ素材にて形成し、上端及び下端にそれぞれ上端開口部１１及び下端開口部１２を設けるとともに、両側部１０の下端側を対向方向に屈曲して一対の屈曲部１３，１４を設け、内部ポケット５の上端から屈曲部１３，１４にかけて幅狭としたテーパ状とするとともに、一対の屈曲部１３，１４間の対向間隔よりも下端開口部１２の形成幅を小さくしたものである。【選択図】図１
0003183218.tif 000002
【実用新案登録請求の範囲】
【請求項１】
上端に開口部を設けた有底の外部ポケットを衣服の前身頃に設けるとともに、この外部ポケットの内部に、ＰＨＳ又は携帯電話を収納可能とする内部ポケットを設けたものにおいて、上記内部ポケットはストレッチ素材にて形成し、上端及び下端にそれぞれ上端開口部及び下端開口部を設けるとともに、両側部の下端側を対向方向に屈曲して一対の屈曲部を設け、内部ポケットの上端から屈曲部にかけて幅狭としたテーパ状とするとともに、一対の屈曲部間の対向間隔よりも下端開口部の形成幅を小さいものとしたことを特徴とするＰＨＳ又は携帯電話用ポケットを備えた衣服。
【請求項２】
内部ポケットは、上端開口部の形成幅を６〜８cm、一対の屈曲部間の対向間隔を５〜７cm、下端開口部の形成幅を３〜５cmとしたことを特徴とする請求項１のＰＨＳ又は携帯電話用ポケットを備えた衣服。
【請求項３】
内部ポケットは、上端開口部を外部ポケットの上端よりも上方に突出して形成したことを特徴とする請求項１、または２のＰＨＳ又は携帯電話用ポケットを備えた衣服。
【考案の詳細な説明】
【技術分野】
【０００１】
本考案は、ＰＨＳ又は携帯電話を収納するためのポケットを備えた衣服に関するものである。
【背景技術】
【０００２】
ＰＨＳやスマートフォンを含む携帯電話(以下、「ＰＨＳ等」とする。)を前見頃のポケット内に入れて移動する場合、走ったり上体を下に向けたりすると、ＰＨＳ等がポケットから脱落するおそれがあった。そこで、ＰＨＳ等のポケットからの脱落防止を目的として、特許文献１に示す如く、前見頃に縫い付けた外部ポケット内に、この外部ポケットの上端よりも幅狭に形成した内部ポケットを設けたものが公知となっている。
【先行技術文献】
【特許文献】
【０００３】
【特許文献１】実用新案登録第３０７４１９９号公報
【０００４】
しかしながら、ＰＨＳ等には様々な種類のものが存在し、その幅や長さも機種によって異なるものである。そのため、特許文献１の内部ポケットに収納可能な大きさのＰＨＳ等が限定されるものとなり、ＰＨＳ等が大きすぎて内部ポケットに収納できない場合や、逆にＰＨＳ等が小さすぎて内部ポケットに安定した状態で脱落困難とすることができない場合があった。
【０００５】
そこで、本考案は上述の如き課題を解決しようとするものであって、様々な大きさのＰＨＳ等を安定した状態で、且つ脱落困難に収納可能とするポケットを備えた衣服を得ようとするものである。
【考案の開示】
【課題を解決するための手段】
【０００６】
本考案は上述の如き課題を解決するため、上端に開口部を設けた有底の外部ポケットを衣服の前身頃に設けるとともに、この外部ポケットの内部に、ＰＨＳ又は携帯電話を収納可能とする内部ポケットを設けたものにおいて、上記内部ポケットはストレッチ素材にて形成し、上端及び下端にそれぞれ上端開口部及び下端開口部を設けるとともに、両側部の下端側を対向方向に屈曲して一対の屈曲部を設け、内部ポケットの上端から屈曲部にかけて幅狭としたテーパ状とするとともに、一対の屈曲部間の対向間隔よりも下端開口部の形成幅を小さくしたものである。
【０００７】
上記の如く、内部ポケットをストレッチ素材にて形成することにより、ストレッチ素材が伸縮するため内部ポケットの形成幅よりも幅の広いＰＨＳ等を容易に収納することができる。また、このように内部ポケットの形成幅よりも幅の広いＰＨＳ等を収納した場合には、これらのＰＨＳ等が内部ポケットの収縮力によって締め付けられるため、ＰＨＳ等を内部ポケットから脱落困難に収納することができる。
【０００８】
また上記内部ポケットは、上端開口部から屈曲部にかけて幅狭としたテーパ状に形成している。このようにテーパ状とすることにより、内部ポケットの形成幅が上端開口部から屈曲部側に向かって順次幅狭に変化するため、様々な幅のＰＨＳ等に対応することができる。
【０００９】
例えば、上端開口部よりも幅が狭く、且つ一対の屈曲部の対向間隔よりも幅の広いＰＨＳ等の場合、上端開口部から内方に挿入するとＰＨＳ等の下端側が内部ポケットのテーパ状の両側部に当接する。そして、更にＰＨＳ等を押し下げることにより、このＰＨＳ等がストレッチ素材の内部ポケットを押し広げながら下方に移動する。そして最終的には、ＰＨＳ等の下端が屈曲部に当接した状態で内部ポケット内に保持されるものとなる。従って、ＰＨＳ等の下端側が内部ポケットの伸縮によって締め付けられた状態で保持されるため、ＰＨＳ等を内部ポケット内に脱落困難に収納することができる。
【００１０】
また、上記の如く内部ポケットに一対の屈曲部を設けているため、この一対の屈曲部の対向間隔よりも幅の広いＰＨＳ等を内部ポケットに挿入した場合には、このＰＨＳ等の下端側の角部が屈曲部に突き当たり保持されることから、ＰＨＳ等を屈曲部にて安定した状態で収納することができる。
【００１１】
一方、ＰＨＳ等の幅が一対の屈曲部の対向間隔と同じあるいは対向間隔よりも狭い場合には、ＰＨＳ等を上端開口部から内方に押し下げることにより、ＰＨＳ等の下端側が屈曲部を通過して下端開口部に到達する。ここで、ＰＨＳ等の幅が内部ポケットの下端開口部の幅よりも広い場合には、更にＰＨＳ等を押し下げることにより下端開口部が押し広げられ、ＰＨＳ等の下端側が下端開口部にて締め付けられるものとなり、ＰＨＳ等を内部ポケット内に脱落困難に保持することができる。
【００１２】
これに対し、ＰＨＳ等の幅が下端開口部の形成幅と同じか狭い場合には、ＰＨＳ等は下端開口部から突出してこのＰＨＳ等の下端が外部ポケットの底部に突き当たる。そのため、この場合には下端開口部におけるＰＨＳ等の締め付けは困難となるものの、内部ポケットによりＰＨＳ等の移動が制限されるものとなる。従って、ＰＨＳ等を安定した状態で内部ポケットに収納することができる。
【００１３】
また、内部ポケットは、上端開口部の形成幅を６〜８cm、一対の屈曲部間の対向間隔を５〜７cm、下端開口部の形成幅を３〜５cmとしたものであっても良い。従って、幅の広いＰＨＳ等から幅の狭いＰＨＳ等まで様々な大きさのものに対応することができる。
【００１４】
また、内部ポケットは、上端開口部を外部ポケットの上端よりも上方に突出して配置したものであっても良い。このように配置することにより、上端開口部を目視あるいは手さぐりによって即座に確認することができるため、ＰＨＳ等を容易且つ迅速に収納することができる。
【考案の効果】
【００１５】
本考案は上述の如く、内部ポケットをストレッチ素材とすることにより、ストレッチ素材の伸縮性によって内部ポケットの形成幅よりも幅の広いＰＨＳ等についても収納することが可能となる。また、このように内部ポケットの形成幅よりも幅の広いＰＨＳ等を収納した場合には、内部ポケットの伸縮によってＰＨＳ等が締め付けられるためＰＨＳ等を内部ポケットに脱落困難に収納することができる。
【００１６】
また上記内部ポケットは、上端開口部から屈曲部にかけて幅狭としたテーパ状に形成している。このようにテーパ状とすることにより、上端開口部から屈曲部側に向かって内部ポケットの形成幅が順次幅狭に変化するため、様々な幅のＰＨＳ等に対応することができる。
【００１７】
例えば、上端開口部よりも幅が狭く、且つ一対の屈曲部の対向間隔よりも幅の広いＰＨＳ等の場合、上端開口部から内方に挿入するとＰＨＳ等の下端側が内部ポケットのテーパ状の両側部に当接する。そして、更にＰＨＳ等を押し下げることにより、このＰＨＳ等がストレッチ素材の内部ポケットを押し広げながら下方に移動する。そして最終的には、ＰＨＳ等の下端が屈曲部に当接した状態で内部ポケット内に保持されるものとなる。従って、ＰＨＳ等の下端側が内部ポケットの伸縮によって締め付けられた状態で保持されるため、ＰＨＳ等を内部ポケット内に脱落困難に収納することができる。
【００１８】
また、上記の如く内部ポケットに一対の屈曲部を設けているため、この一対の屈曲部の対向間隔よりも幅の広いＰＨＳ等を内部ポケットに挿入した場合には、このＰＨＳ等の下端側の角部が屈曲部に突き当たり保持されることから、ＰＨＳ等を屈曲部にて安定した状態で収納することができる。
【００１９】
一方、ＰＨＳ等の幅が一対の屈曲部の対向間隔と同じあるいは対向間隔よりも狭い場合には、ＰＨＳ等を上端開口部から内方に押し下げることにより、ＰＨＳ等の下端側が屈曲部を通過して下端開口部に到達する。ここで、ＰＨＳ等の幅が内部ポケットの下端開口部の幅よりも広い場合には、更にＰＨＳ等を押し下げることにより下端開口部が押し広げられ、ＰＨＳ等の下端側が下端開口部にて締め付けられるものとなり、ＰＨＳ等を内部ポケット内に脱落困難に保持することができる。
【００２０】
これに対し、ＰＨＳ等の幅が下端開口部の形成幅と同じか狭い場合には、ＰＨＳ等は下端開口部から突出してこのＰＨＳ等の下端が外部ポケットの底部に突き当たる。そのため、この場合には下端開口部におけるＰＨＳ等の締め付けは困難となるものの、内部ポケットによりＰＨＳ等の移動が制限されるものとなる。従って、ＰＨＳ等を安定した状態で内部ポケットに収納することができる。
【実施例１】
【００２１】
本考案の実施例１について説明すると、(1)はポケット本体であって、衣服(2)の前見頃(3)に配置したものである。このポケット本体(1)は、図１、２に示す如く外部ポケット(4)と、この外部ポケット(4)内に設けた内部ポケット(5)とから成るものである。
【００２２】
上記ポケット本体(1)について詳細に説明すると、外部ポケット(4)は略正方形に形成したものであって、この外部ポケット(4)の上端に開口部(6)を設けるとともに、底部(7)及び両側(8)を前見頃(3)に縫い付けている。また、この外部ポケット(4)内には内部ポケット(5)を配置しており、この内部ポケット(5)の両側部(10)を前見頃(3)に縫い付けている。そして図２に示す如く、この内部ポケット(5)の上端縁及び下端縁を前見頃(3)に縫い付けることなく上端開口部(11)及び下端開口部(12)を形成している。
【００２３】
また、この内部ポケット(5)はストレッチ素材であるニット素材にて形成したものであって、上下、左右、斜め方向に伸縮自在としている。尚、本実施例ではストレッチ素材としてニット素材を使用しているが、他の異なる実施例においてはストレッチ織物、各種ゴム素材、不織布、フィルム素材等を使用することができる。
【００２４】
またこの内部ポケット(5)は、図３に示す如く両側部(10)の下端側を互いに対向方向に屈曲させた一対の屈曲部(13)(14)を設けている。そして図１に示す如く、内部ポケット(5)の上端から屈曲部(13)(14)までを、屈曲部(13)(14)側を幅狭としたテーパ状としている。上記の如くテーパ状に形成することにより、内部ポケット(5)の上端開口部(11)から屈曲部(13)(14)にかけて形成幅が順次幅狭に変化するため、様々な幅のＰＨＳ等に対応することができる。
【００２５】
また、本実施例では図３に示す如く、上端開口部(11)の形成幅(図３(a))を7ｃｍとし、一対の屈曲部(13)(14)の対向間隔(図３(b))を6ｃｍとし、下端開口部(12)の形成幅(図３(c))を4ｃｍとしている。そして、例えば幅が屈曲部(13)(14)の対向間隔よりも広い幅6.5ｃｍのＰＨＳ(15)を内部ポケット(5)に収納する場合には、ＰＨＳ(15)の下端側が内部ポケット(5)の両側部(10)を押し広げながら屈曲部(13)(14)側に移動し、最終的には図４の一点鎖線にて示す如く、ＰＨＳ(15)は下端の角部(17)を一対の屈曲部(13)(14)に突き当てた状態で保持される。従って、ＰＨＳ(15)は内部ポケット(5)の屈曲部(13)(14)側で内部ポケット(5)の収縮力によって締め付けられるため脱落困難となるとともに、一対の屈曲部(13)(14)によって安定した状態で内部ポケット(5)内に収納することができる。
【００２６】
一方、幅が屈曲部(13)(14)の対向間隔よりも狭く、且つ下端開口部(12)の形成幅よりも広い幅5ｃｍのＰＨＳ(16)を内部ポケット(5)に収納した場合には、ＰＨＳ(16)の下端側が一対の屈曲部(13)(14)間を通過して下端開口部(12)に到達する。ここで、ＰＨＳ(16)の幅は下端開口部(12)の形成幅よりも広いため、ＰＨＳ(16)を更に押し下げることによりＰＨＳ(16)が下端開口部(12)を押し広げながら下方に移動し、図４の二点鎖線にて示す如くＰＨＳ(16)の下端側が下端開口部(12)から突出する。これにより、ＰＨＳ(16)の下端側が下端開口部(12)にて締め付けられるため、ＰＨＳ(16)を安定した状態で脱落困難に内部ポケット(5)内に保持することができる。
【００２７】
また、本実施例の内部ポケット(5)は図２に示す如く、上端開口部(11)を外部ポケット(4)の開口部(6)よりも上方に突出して配置している。従って、外部ポケット(4)の開口部(6)を広げて内部ポケット(5)の上端開口部(11)を探す等の手間を要することなく、上端開口部(11)を目視あるいは手さぐりによって即座に確認することができるため、ＰＨＳ(15)(16)等を容易且つ迅速に上端開口部(11)から内部ポケット(5)に収納することができる。
【図面の簡単な説明】
【００２８】
【図１】本考案の実施例１におけるポケット本体示す平面図。
【図２】図１のＡ−Ａ線断面図。
【図３】実施例１の内部ポケットを示す平面図。
【図４】実施例１の内部ポケットにＰＨＳ等を収納した際の概念図。
【符号の説明】
【００２９】
２  衣服
３  前見頃
４  外部ポケット
５  内部ポケット
６  開口部
１０  両側部
１１  上端開口部
１２  下端開口部
１３、１４  屈曲部
１５、１６  ＰＨＳ
【図１】
0003183218.tif 000003
【図２】
0003183218.tif 000004
【図３】
0003183218.tif 000005
【図４】
0003183218.tif 000006